(57)【要約】      （修正有）【課題】流体用チューブまたはエネルギー用チューブ用のストップボールを提供する。【解決手段】ストップボールは単一の中空体１００を備える。前記中空体１００は、前記流体用チューブまたはエネルギー用チューブ用の第１開口部１２０と前記流体用チューブまたはエネルギー用チューブに前記ストップボールを取り付ける取付手段１４０とを一体的に備え、前記取付手段１４０は、前記流体用チューブまたはエネルギー用チューブ用の第２開口部１５０を備える。本発明は、実施形態のうちの任意の一形態によるストップボールの流体用チューブまたはエネルギー用チューブへの取付方法を提供する。当該方法は、３つの全ての開口部に前記流体用チューブまたはエネルギー用チューブを挿入する工程と、取付手段を少なくとも部分的に前記単一中空体外に引き出す工程と、取付手段をチューブにクランプする工程と、を含む。【選択図】図３
2019023508.tif 000002
【特許請求の範囲】
【請求項１】
流体用チューブまたはエネルギー用チューブ用のストップボールであって、前記ストップボールは単一の中空体（１００）を備え、
前記中空体（１００）は、
前記チューブ用の第１開口部（１２０）と、
前記チューブに前記ストップボールを取り付ける取付手段（１４０）と、を一体的に備え、
該取付手段（１４０）は、前記チューブ用の第２開口部（１５０）を備える、
ストップボール。
【請求項２】
前記単一中空体（１００）は、さらに、チューブ用の第３開口部（１３０）を一体的に備え、 該第３開口部（１３０）は第３直径（１３２）を有し、
前記第１開口部（１２０）は、第１直径（１３２）を有し、
前記第２開口部（１５０）は、記第１直径（１２２）または前記第３直径（１３２）の少なくとも一方よりも小さい第２直径（１５２）を有する、
請求項１に記載のストップボール。
【請求項３】
前記第３直径（１３２）は、前記第１直径（１２２）および前記第２直径（１５２）のいずれよりも大きい、請求項１または２に記載のストップボール。
【請求項４】
前記取付手段（１４０）は、少なくともその一部が前記中空体（１００）の内部にある、請求項１〜３のいずれか１項に記載のストップボール。
【請求項５】
前記取付手段（１４０）は、領域（１４２）をチューブに半径方向にクランプする前記領域（１４２）を備える、請求項１〜４のいずれか１項に記載のストップボール。
【請求項６】
前記領域（１４２）は、フランジを伴う一定の直径を有する、請求項５に記載のストップボール。
【請求項７】
前記中空体（１００）は、さらに、半径方向の開口部（１６０）を備える、請求項１〜６のいずれか１項に記載のストップボール。
【請求項８】
前記中空体（１００）は可撓性であり、可撓率を１００％超とすることができる、請求項１〜７のいずれか１項に記載のストップボール。
【請求項９】
前記中空体（１００）は、さらに、前記中空体（１００）を補強する構造的構成を備える、請求項１〜８のいずれか１項に記載のストップボール。
【請求項１０】
前記中空体（１００）は、前記中空体（１００）の外側（１０２）と前記取付手段（１４０）との間で、前記ストップボールの軸方向に内方および外方に延在する、請求項１〜９のいずれか１項に記載のストップボール。
【請求項１１】
前記取付手段（１４０）用のクランプ手段（１８０）をさらに備える、請求項１〜１０のいずれか１項に記載のストップボール。
【請求項１２】
請求項１〜１１のいずれか１項に記載のストップボールを流体用のチューブまたはエネルギー用のチューブへの取り付ける取付方法であって、
３つの全ての開口部に前記チューブを挿入する工程（５１０）と、
前記取付手段（１４０）の少なくとも一部を前記中空体（１００）の外に引き出す工程（５２０）と、
前記取付手段（１４０）を前記チューブにクランプする工程（５３０）と、
を含む、取付方法。
【請求項１３】
ケーブルタイ、ホースクランプ、弾性手段、機械的クランプ、タイから成る群の少なくとも１つを使用して前記取付手段（１４０）を前記チューブ上にクランプする工程をさらに含む、請求項１２に記載の方法。
【請求項１４】
前記中空体（１００）を膨張させる工程（５４０）と、
前記中空体（１００）が膨張している間に前記ストップボールを前記チューブに沿って移動させる工程（５５０）と、
前記中空体（１００）を収縮（５６０）させて前記ストップボールを前記チューブに取り付ける工程と、
をさらに含む、請求項１２または１３に記載の方法。
【請求項１５】
請求項１〜１１のいずれか１項に記載のストップボールを成形するよう構成したツールであって、
２つの塊体を備え、各塊体は前記第１開口部（１２０）および前記第３開口部（１３０）からそれぞれ引き出されて、単一の成形ステップで前記ストップボールを射出成形するように構成したツール。
【発明の詳細な説明】
【技術分野】
【０００１】
本開示は、ストップボールに関する。より詳細には、本開示は、チューブ、ホースおよび同種の長尺可撓体用のストップボール、そのようなストップボールのチューブまたはホースへの取付方法、およびストップボールを成形するツールに関する。
【背景技術】
【０００２】
ホースリールを使用してチューブまたはホースの巻き上げ巻き取りを行う。ストップボールを用いてホースリールを停止し、チューブがすべて巻き取られてしまうのを阻止する。ストップボールを使用することにより、チューブまたはホースがホースリール内部に完全に巻き戻ってしまうことがない。例えば圧縮空気等の流体を使用しなければならない場合には、当該流体を供給するホースを巻き上げて、ホースを収納して安全に保管する。ホースは、必要に応じて巻き出され、その後、収納する際には、ストップボールがホースリールと相互作用するまでホースを巻き上げる。
【０００３】
ストップボールは、チューブまたはホースの周囲にボルトで共に固定した２つの半部で形成する。そのようなストップボールにはいくつかの欠点がある。例えば、ストップボールは硬質であり、床に置かれたストップボールを人が踏むと人身障害が発生し得る。そのようなストップボールは、専ら、特定の直径を有するチューブ用またはホース用に作られる。硬質なストップボールは、人、機器、またはホースリールに損傷を与える虞がある。ストップボールは多数の部品で構成されているため、チューブへの取り付けに手間がかかる。したがって、これらの課題を解決し、ストップボールの改善、および、ストップボールとチューブ、ホース、またはホースリールとの間の相互作用の改善が望まれている。
【０００４】
また、製造が安価であり、製造が容易な、ロバストなストップボールを提供することが望ましい。ストップボールは、また、優良で機能的かつ信頼性の高いストップを提供できなければならない。本開示は、上記課題のうち１つ又は複数の課題の解決を目的とする。
【発明の概要】
【発明が解決しようとする課題】
【０００５】
本発明の目的は、流体用チューブまたはエネルギー用チューブ用のストップボールと、当該ストップボールを流体用チューブまたはエネルギー用チューブに取り付ける方法と、ストップボールを成形するツールとを提供することである。この課題は、独立請求項において定義する発明特定事項によって達成することが可能である。更なる付加拡張機能は、従属項において規定する。
【０００６】
一実施形態によれば、流体用チューブまたはエネルギー用チューブ用のストップボールを提供する。ストップボールは単一の中空体を備える。当該中空体は、チューブ用の第１開口部と、チューブにストップボールを取り付ける取付手段とを一体的に備え、当該取付手段はチューブ用の第２開口部を備える。
【０００７】
一実施形態によれば、中空体は、さらに、チューブ用の第３開口部を一体的に備える。第３開口部は第３直径を有する。第１開口部は第１直径を有する。第２開口部は第２直径を有する。当該第２直径は、第１直径および第３直径の少なくとも一方より小さい。
【０００８】
一実施形態によれば、第３直径は、第１直径および第２直径のいずれよりも大きい。
【０００９】
一実施形態によれば、取付手段は少なくともその一部が中空体の内部にある。
【００１０】
一実施形態によれば、取付手段は、領域をチューブに半径方向にクランプする領域を備える。好ましくは、領域は、フランジを伴う一定の直径を有する。当該領域は第２直径を有してもよい。
【００１１】
一実施形態によれば、中空体は、さらに、１つ以上の半径方向の開口部を備える。当該１つ以上の開口部は半径方向に配置してもよい。
【００１２】
一実施形態によれば、中空体は可撓性であり、可撓率を１００％超とすることができる。
【００１３】
一実施形態によれば、中空体は、さらに、中空体を補強する構造的構成を備える。
【００１４】
一実施形態によれば、中空体は、中空体の外側と取付手段との間で、ストップボールの軸方向に、内方および／または外方に延在する。
【００１５】
一実施形態によれば、ストップボールは取付手段用のクランプ手段をさらに備える。クランプ手段は、取付手段をチューブにクランプするケーブルタイ、ホースクランプ、弾性手段、機械クランプ、およびタイから成る群の少なくとも１つとすることができる。
【００１６】
一実施形態によれば、本発明は、先の実施形態のいずれか１つによるストップボールを流体用チューブまたはエネルギー用チューブへ取り付ける取付方法を提供する。当該方法は、３つの全ての開口部にホースを挿入する工程と、取付手段を少なくとも部分的に中空体外に引き出す／移動する工程と、取付手段をチューブにクランプする工程とを含む。
【００１７】
一実施形態によれば、当該方法は取付手段をチューブにクランプするケーブルタイ、ホースクランプ、弾性手段、機械的クランプ、タイから成る群の少なくとも１つを使用する工程をさらに含む。
【００１８】
一実施形態によれば、当該方法は中空体を膨張させる工程と、中空体が膨張している間にストップボールをチューブに沿って移動させる工程と、中空体を収縮させてストップボールをチューブに取り付ける工程とをさらに含む。
【００１９】
一実施形態によれば、本発明は、上記実施形態のうちの任意の一形態によるストップボールを成形するよう構成したツールを提供する。ツールは２つの塊体 を備え、各塊体は、第１開口部（１２０）および第３開口部（１３０）からそれぞれ引き出されて、単一の成形ステップでストップボールを射出成形するように構成する。
【００２０】
本明細書で開示する１つ以上の実施形態は、踏んだ場合に傷害を生じさせないストップボール、および様々な直径のチューブに嵌合するストップボールを提供する。少なくとも１つの実施形態は、製造が安価であり、製造が容易である、ロバストなストップボールを提供する。少なくとも１つの実施形態は、良好な制動性を有するストップボールを提供する。少なくとも１つの実施形態は、ボルトを使用せずに、そのようなストップボールをチューブに容易に取り付ける方法を提供する。
【００２１】
上記の実施形態の少なくとも１つによれば、背景技術の問題点および課題への１つ以上の解決策を提供する。本開示における他の技術的利点については、以下の説明および特許請求の範囲から、当業者にとって容易に明白になるであろう。本出願における様々な実施形態に関する記載は、利点の一部を記述するに過ぎない。いずれの利点も実施形態に必要不可欠なものではない。本明細書に記載の任意の特徴は、記載した任意の実施形態から追加、結合、または削除されてもよい。本明細書に記載した請求項に係る任意の実施形態は、本明細書に記載した請求項に係る任意の別の実施形態と技術的に組み合わせてもよい。
【００２２】
添付図面は、現時点における本開示の実施形態を例示するものであり、上述した概要や、実施形態に関する以下の詳細な説明と相まって、実施例に基づいて本開示の原理を説明するのに役立つ。
【図面の簡単な説明】
【００２３】
【図１】図１は、本開示の例示的な実施形態によるストップボールの概略図である。
【図２】図２は、本開示の例示的な実施形態によるストップボールの概略図である。
【図３】図３は、本開示の例示的な実施形態よるストップボールの概略図であり、図１におけるＡ−Ａ断面図である。
【図４】図４は、本開示の例示的な実施形態によるストップボールの概略図である。
【図５】図５は、本開示の例示的な実施形態による、ホースをホースリールに接続する方法の概略図である。
【発明の詳細な説明】
【００２４】
図１〜図４は、一実施形態によるストップボールの概略図である。ストップボールは、流体用チューブまたはエネルギー用チューブ用である。チューブは、ホース、ケーブル、長尺形状体、または長尺形状の中空体であって可撓性を有するものとすることができる。そのようなチューブは、例えば、空気、ガス、圧縮空気、圧縮ガス、液体、水、または燃料等といった流体を伝搬する。チューブは、例えば、電気または光等のエネルギーを伝導してもよい。
【００２５】
図１〜図４に示すように、ストップボールは単一の中空体（１００）を備える。中空体（１００）は、チューブ用の第１開口部（１２０）とチューブにストップボールを取り付ける取付手段（１４０）とを一体的に備える。取付手段（１４０）はチューブ用の第２開口部（１５０）を備える。中空体（１００）は、その全体にわたって同一の材料で連続的に形成した単一の中空体（１００）であってもよい。中空体（１００）は、２つ以上の部品、または２つ以上の材料から組み立てたものではない。中空体（１００）は唯一の単一一体部である。中空体（１００）は、好ましくは、例えば射出成形等の単一のステップで成形する。
【００２６】
一実施形態によれば、中空体（１００）は可撓性材料から形成する。好ましくは、中空体（１００）は、実質的円筒体、丸縁を有する円筒体、球状体、ボール、バルーン、円形形状体、円形体またはそれらの近似の形状体である。
【００２７】
一実施形態によれば、中空体（１００）は実質的に均一な円周を備える。好ましくは、中空体（１００）は中空体の中央を通る切断縦断面を含まない。一実施形態によれば、中空体（１００）を通る半径方向の切断面は一致し、切断面は開口部を含まない。一実施形態によれば、中空体（１００）は均一であり、中空体（１００）を中空体（１００）の軸方向に沿って切断した場合に、中空体（１００）の２つの半部は、１つ以上の開口部（１６０）を除いて対称的である。
【００２８】
一実施形態によれば、中空体（１００）は、チューブ用の第３開口部（１３０）であって第３直径（１３２）を有する第３開口部（１３０）と、第１直径（１２２）を有する第１開口部（１２０）と、第２直径（１５２）を有する第２開口部（１５０）とを一体的に備える。第２直径（１５２）は、第１直径（１２２）および第３直径（１３２）の少なくとも一方よりも小さい。
【００２９】
一実施形態によれば、第１開口部（１２０）、第２開口部（１５０）、および第３開口部（１３０）は全てストップボールの同一中心軸上にある。ストップボールに接続したホースの中心軸はストップボールの中心軸および各開口部の中心軸と一致することになる。
【００３０】
一実施形態によれば、第３直径（１３２）は、第１直径（１２２）および第２直径（１５２）のいずれよりも大きい。一実施形態によれば、第３直径（１３２）は、第２直径（１５２）よりも大きいだけである。一実施形態によれば、各直径は、それぞれ、中空体（１００）の直径よりも小さい。
【００３１】
一実施形態によれば、第２開口部（１５０）はストップボールがチューブにクランプされる部分であり、したがって第１開口部（１２０）および第３開口部（１３０）は第２直径（１５３）より大きな直径（１２２、１３２）を有する。このようにして、ストップボールを引っ張り、または停止させた場合、ストップボールをどちらの方向にも拡張または圧縮することができる。有利には、第３直径（１３２）の大きさを、取付手段（１４０）周囲のクランプ手段（１８０）によってユーザがストップボールをチューブにクランプするのに十分なものとする。好ましくは、中空体（１００）は脇に寄せて（図３において、第３開口部（１３０）を左に引っ張る）クランプ手段（１８０）へのアクセスを可能とするのに十分な可撓性を有する。代案として、中空体（１００）は、取付手段（１４０）周囲のクランプ手段（１８０）にアクセス可能なように、取付手段（１４０）を第３開口部（１３０）外に引き出すのに十分な可撓性を有する。
【００３２】
一実施形態によれば、チューブ用のストップボールは中空体（１００）を備える。中空体（１００）は、ホース用の第１開口部（１２０）と、ホース用の第３開口部（１３０）と、ホースにストップボールを取り付ける取付手段（１４０）とを備える。第１開口部（１２０）は第１直径（１２２）を有し、第３開口部（１３０）は第３直径（１３２）を有する。当該取付手段（１４０）は、ホース用の第２開口部（１５０）を備え、当該第２開口部（１５０）は第２直径（１５２）を有し、当該第２直径（１５２）は第１直径（１２２）または第３直径（１３２）の少なくとも一方よりも小さい。好ましくは、第１開口部（１２０）、第２開口部（１５０）、および第３開口部（１３０）は全てストップボールの同一中心軸上にある。好ましくは、第３直径（１３２）は第１直径（１２２）および／または第３直径 （１５２）より大きい。
【００３３】
一実施形態によれば、中空体（１００）は可撓性材料から形成する。好ましくは、中空体（１００）は、実質的に円筒体、丸縁を有する円筒体、球状体、ボール、バルーン、円形形状体、円形体またはそれらに近似する形状体である。一実施形態によれば、中空体（１００）は、一端に内側に取り付けた楕円体を有し、３つの各側面を軸方向に貫通する中央開口部を有する実質的な円筒体を備える。図３を参照されたい。
【００３４】
一実施形態によれば、ホース用ストップボールは、本明細書に記載の中空体（１００）と、本明細書に記載のクランプ手段（１８０）とから成る。クランプ手段（１８０）を備えたそのようなストップボールは２つの部分しか有しておらず、したがって取り扱いが容易である。例えば、クランプ手段はケーブルタイであってもよい。
【００３５】
一実施形態によれば、取付手段（１４０）の少なくとも一部が中空体（１００）の内部にある。好ましくは、取付手段（１４０）は中空体（１００）の完全に内側にあり、すなわち、取付手段（１４０）が中空体（１００）の外側に突出しない。これにより、取付手段（１４０）およびクランプ手段（１８０）を中空体（１００）内部に設け、中空体（１００）によって保護することが可能となる。好ましくは、取付手段（１４０）およびクランプ手段（１８０） は、中空体（１００）の内部にあっても、第３開口部（１３０）から見たときに視認可能である。一実施形態によれば、取付手段（１４０）は第１開口部または第２開口部を介して中空体（１００）から外に移動させることができる。これにより、クランプ手段（１４０）にアクセスし得る。
【００３６】
一実施形態によれば、取付手段（１４０）は領域（１４２）をチューブに半径方向にクランプする領域（１４２）を備える。好ましくは、当該クランプは、領域（１４２）のチューブへの円周部 半径方向クランプである。好ましくは、領域（１４２）はフランジ（１４４）を伴う一定の直径を有する。フランジ（１４４）は当該領域（１４２）の端部にあり、例えば第３開口部（１３０）に近接する端部にある。フランジ（１４４）は、好ましくは、クランプ 手段（１８０）が取付手段上に留まることを保証する。一実施形態によれば、取付手段（１４０）は、一方の端部に１つのフランジ（１４４）を備え、反対側の端部に中空体（１００）の側壁に向かって半径方向延在部を有する。
【００３７】
一実施形態によれば、中空体（１００）は、さらに、１つ以上の半径方向の開口部（１６０）を含む。例示的な図１、図３および図４は、１つのみの半径方向の開口部（１６０）を示す。当該半径方向の開口部（１６０） は、中空体を膨張させるもの、および／または中空体（１００）から空気を排出するものであってもよい。半径方向の開口部（１６０） は、直径１〜３ミリメートルにすることができ、好ましくは直径１．５ミリメートルにすることができる。中空体（１００）は、単一または複数の半径方向の開口部（１６０） を有してもよい。当該半径方向の開口部（１６０） は、巻き取ったチューブをストップボールにより制動する場合に、ストップボールの内部から空気を流出または流入させる予備的な通路を提供し得る。
【００３８】
一実施形態によれば、中空体（１００）は可撓性であり、その可撓率を１００％超とすることが可能である。ストップボールは、好ましくは、直径９．５ミリメートルのチューブに密嵌し、直径１８ミリメートルのチューブまで延在する。一実施形態によれば、ストップボールの中空体（１００）の材料はショア硬度５０の硬度のクロロプレンである。このような材料および可撓率を選択することにより、１回で成形することができる硬すぎず軟らかすぎないストップボールを技術的に達成し、またホースリールやチューブに損傷を与えることなく、巻き上げ中のチューブを停止・制動可能なストップボールを技術的に達成する。一実施形態によれば、可撓率は、２００パーセント超、または３００パーセント超、または４００パーセント超、または５００パーセント超とすることができる。
【００３９】
一実施形態によれば、中空体（１００）は、さらに、構造的構成（１７０）を備え、中空体（１００）を補強し、および／または弱化する。構造的構成（１７０）は、中空体（１００）の構造を凝固させ、および／または軟化させる突起部または凹部とすることができる。構造的構成（１７０）は、ホースリールまたはチューブに損傷を与えることなく、巻き上げ中のチューブを停止・制動するストップボールを提供し得る。
【００４０】
一実施形態によれば、中空体（１００）の外側部分（１０２）と取付手段（１４０）との間の中空体（１００）は、ストップボールの軸方向に、内方および／または外方に延在する。当該延在部により、中空体（１００）の半径方向側に取付手段（１４０）が半径方向に接続。図３に示すように、中空体は好ましくは、ストップボールの半径方向切断面および軸方向切断面から見た場合、Ｓ字形状、Ｚ字状、Ｉ字状、Ｌ字状、Ｃ字形状、またはＴ字形状に延在する。中空体（１００）の外側部分とチューブ用の取付手段（１４０）との間のそのような延在部は、チューブが巻き上げられた場合にホースリールやチューブに損傷を与えることなくチューブを停止・制動するストップボールを提供できる。
【００４１】
一実施形態によれば、ストップボールは、さらに、取付手段（１４０）用クランプ手段（１８０）を備える。クランプ手段（１８０）は、例えば、ケーブルタイ、ホースクランプ等であってもよい。クランプ手段（１８０）は、ケーブルタイ、ホースクランプ、弾性手段、機械的クランプ、およびタイから成るクランプ手段から成る群の少なくとも１つであってもよい。そのようなクランプ手段（１８０）用いて取付手段（１４０）をチューブにクランプしてもよい。一実施形態によれば、ストップボールは、中空体（１００）と、例えばケーブルタイ（１８０）といったクランプ手段（１８０）から構成され、それ以外の部品は含まない。一実施形態によれば、クランプ手段（１８０）は取付手段（１４０）の周囲を周回し、取付手段（１４０）を半径方向および／または円周方向にチューブにクランプする。
【００４２】
図５は、一実施形態による例示的方法のフローチャートである。一実施形態によれば、本方法は本明細書に開示した任意の実施形態よるストップボールを流体用チューブまたはエネルギー用チューブに取り付ける方法を説明する。当該方法は３つの全ての開口部を通してホースを挿入する（５１０）第１ステップと、続いて少なくとも部分的および相対的に中空体（１００）外に取付手段（１４０）を引き出す（５２０）第２ステップと、続いて取付手段（１４０）をチューブにクランプする（５３０）第３ステップ（５２０）と、を含む。当該第２ステップ（５２０）は当該第１ステップ（５１０）の前に行ってもよい。
【００４３】
一実施形態によれば、本方法は、取付手段（１４０）をチューブにクランプするケーブルタイ、ホースクランプ、弾性手段、機械的クランプ、タイから成るクランプ手段の群の少なくとも１つを使用する工程をさらに含む。したがって、一実施形態によれば、ストップボールは、中空体（１００）および例えばケーブルタイ（１８０）といったクランプ手段（１８０）のみからなり、それ以外の部品は含まない。
【００４４】
図５に示す一実施形態によれば、本方法は、さらに、中空体（１００）を膨張させる工程（５４０）と、中空体（１００）が膨張している間にストップボールをチューブに沿って移動させる工程（５５０）と、中空体（１００）を収縮させて（５６０）ストップボールを再びチューブに取り付ける工程とを含んでもよい。圧縮空気を供給するチューブの端部において、例えばエアガンからの圧縮空気を用いてストップボールを膨張させてもよい。空気がチューブと取付手段（１４０）との間に導入されるので、膨張したストップボールをチューブに沿って軸方向に移動、滑らせ得る。第１開口部（１２０）および第３開口部（１３０）から自然に空気が漏れ出るため、ストップボールは空気がストップボール内に供給される限り膨張する。当該空気供給の間、ストップボールを膨張させ、移動させることができる。ストップボールに空気が供給されなくなると、取付手段（１４０）がクランプ手段（１８０）に支援されてチューブに取り付けられる。
【００４５】
一実施形態によれば、本発明は、本明細書に開示した実施形態のいずれか１つによるストップボールを成形するよう構成したツールを提供する。ツールは２つの塊体を備え、各塊体は、第１開口部（１２０）および第３開口部（１３０）からそれぞれ引き出されるよう構成して、単一の成形ステップでストップボールを射出成形するようにする。中空体（１００）の材料は可撓性があり、可撓率を１００％超とすることができる。ストップボールは、好ましくは、直径９．５ミリメートルのチューブに密嵌し、直径１８ミリメートルのチューブまで延在する。一実施形態によれば、ストップボールの中空体（１００）の材料は、ショア硬度５０の硬度のクロロプレンである。このような材料および可撓率を選択することにより、１度のステップで成形することができる硬すぎず軟らかすぎないストップボールを技術的に達成し、またホースリールやチューブに損傷を与えることなく、巻き上げられるチューブを停止・制動することができるストップボールを技術的に達成する。当該可撓率により、金型を開いてストップボールを取り出すときに、ストップボールを成形するツールの各塊体を第１開口部（１２０）および第３開口部（１３０）から取り出すことが可能となる。
【００４６】
本明細書に開示した少なくとも１つの実施形態によれば、本発明は、ストップボールを使用する人に損傷を与えないストップボールを提供する。少なくとも１つの実施形態は、製造が安価であり、製造が容易である、ロバストなストップボールを提供する。少なくとも１つの実施形態は、優良で機能的かつ信頼性の高いストップであり、良好な制動性を有するストップボールを提供する。少なくとも１つの実施形態は、ストップボールのホースへの取付方法を提供する。
【００４７】
ストップボールおよびストップボールのチューブへの取付方法につき、様々な修正および変形が可能であることは言うまでもない。上述したストップボールの細目および実施形態を考慮すれば、当業者には別の実施形態も明らかである。明細書および実施例は、単なる例示に過ぎず、本発明の技術的範囲は、以下の特許請求の範囲の記載に基づいて定められるものである。
【符号の説明】
【００４８】
１００  中空体
１０２  中空体の外側部分
１２０  第１開口部
１２２  第１直径
１３０  第３開口部
１３２  第３直径
１４０  取付手段
１４２  領域
１４４  フランジ
１５０  第２開口部
１５２  第２直径
１６０  半径方向の開口部
１７０  構造的構成
１８０  クランプ手段
５１０  ホースを挿入する工程
５２０  取付手段を引き出す工程
５３０  クランプする工程
５４０  ボールを膨張させる工程
５５０  ボールを移動させる工程
５６０  ボールを収縮させる工程
【図１】
2019023508.tif 000003
【図２】
2019023508.tif 000004
【図３】
2019023508.tif 000005
【図４】
2019023508.tif 000006
【図５】
2019023508.tif 000007
【外国語明細書】
2019023508000001.pdf